(57)【特許請求の範囲】
【請求項１】
複数の走査電極に選択電圧、非選択電圧を順次印加する走査電極駆動回路と、複数の信号電極に表示すべき階調を特定するための信号電圧を印加する信号電極駆動回路とを設けた液晶表示素子の駆動回路であって、
少なくとも２つの走査電極群に分けられた前記複数の走査電極について、ある走査電極群に属する走査電極に順次選択電圧が印加される期間、他の走査電極群に属する所定の走査電極を指定し、その走査電極に印加される非選択電圧を出力する指定手段と、
前記指定手段から出力される非選択電圧について、その歪を検出する検出手段と、
前記検出手段により検出される歪に基づき非選択電圧を補正して補正信号を生成する補正信号生成手段とを有し、
前記補正信号を前記走査電極駆動回路に供給することにより、前記歪に起因する表示むらを抑制することを特徴とする表示素子の駆動回路。
【請求項２】
複数の走査電極に選択電圧、非選択電圧を順次印加する走査電極駆動回路と、複数の信号電極に表示すべき階調を特定するための信号電圧を印加する信号電極駆動回路とを設けた液晶表示素子の駆動回路であって、
少なくとも２つの走査電極群に分けられた前記複数の走査電極について、ある走査電極群に属する走査電極に順次選択電圧が印加される期間、他の走査電極群に属する所定の走査電極を指定し、その走査電極に印加される非選択電圧を出力する指定手段と、
前記指定手段から出力される非選択電圧について、その歪を検出する検出手段と、
前記検出手段により検出される歪に基づき信号電圧を補正して補正信号を生成する補正信号生成手段とを有し、
前記補正信号を前記信号電極駆動回路に供給することにより、前記歪に起因する表示むらを抑制することを特徴とする表示素子の駆動回路。
【発明の詳細な説明】
【０００１】
【発明の属する技術分野】
本発明は液晶表示装置に関するもので、詳しくは表示むらの改善に関するものである。
【０００２】
【従来の技術】
液晶表示装置の液晶パネルは、液晶パネルを構成する走査電極及び信号電極に液晶表示装置内の電源回路で発生する異なった電圧で構成された電圧波形（以後、駆動電圧波形と言う。）を供給することで駆動、表示が行われる。そして、液晶パネルが表示する内容に応じてこれらの駆動電圧波形は変化する。
【０００３】
ここで、液晶パネルが容量性の負荷であり走査電極及び信号電極が電気抵抗を持っていることから走査電極及び信号電極に印加する電圧波形によって、走査電極及び信号電極に印加する電圧波形に歪が生じ、これによって表示にむらが発生すると言った問題があった。
【０００４】
この問題について、筆者等が出願した特開平２−８９号公報等で提示したような駆動電圧波形に補正電圧を付け加えて歪を矯正する方法が知られていた。
【０００５】
【発明が解決しようとする課題】
しかし、特開平２−８９号公報等で提示した方法は表示むらを著しく低減できるが、これを行う際に予め補正量を計算するための回路を必要としていたため、液晶表示装置が複雑なものになり小型軽量化が難しくなっていた。
【０００６】
本発明はかかる問題を鑑みてなされたものであり、走査電極及び信号電極に印加する電圧波形に生じる歪は走査電極上の電圧に対する信号電極上の電圧の変化の総和で規定されることに着目し、さらにこの電圧の変化の総和に応じた電流が電源回路に流れることから、これらの電圧の変化または電流の変化を監視することによって液晶パネル内での走査電極または信号電極に発生する歪を推定して、この歪を相殺する補正電圧を駆動電圧波形に付け加えることによって、表示むらを解消しようとするもので、その目的は表示むらを簡素な回路構成によって解消し表示品位の高い表示装置及び見やすい表示装置を搭載した小型軽量化した電子機器を提供することにある。
【０００７】
【課題を解決するための手段】
本発明の液晶表示装置の駆動回路は、複数の走査電極に選択電圧、非選択電圧を順次印加する走査電極駆動回路と、複数の信号電極に表示すべき階調を特定するための信号電圧を印加する信号電極駆動回路とを設けた液晶表示素子の駆動回路であって、少なくとも２つの走査電極群に分けられた前記複数の走査電極について、ある走査電極群に属する走査電極に順次選択電圧が印加される期間、他の走査電極群に属する所定の走査電極を指定し、その走査電極に印加される非選択電圧を出力する指定手段と、前記指定手段から出力される非選択電圧について、その歪を検出する検出手段と、前記検出手段により検出される歪に基づき非選択電圧を補正して補正信号を生成する補正信号生成手段とを有し、前記補正信号を前記走査電極駆動回路に供給することにより、前記歪に起因する表示むらを抑制することを特徴とする。
【０００８】
また、本発明の他の液晶表示装置の駆動回路は、複数の走査電極に選択電圧、非選択電圧を順次印加する走査電極駆動回路と、複数の信号電極に表示すべき階調を特定するための信号電圧を印加する信号電極駆動回路とを設けた液晶表示素子の駆動回路であって、少なくとも２つの走査電極群に分けられた前記複数の走査電極について、ある走査電極群に属する走査電極に順次選択電圧が印加される期間、他の走査電極群に属する所定の走査電極を指定し、その走査電極に印加される非選択電圧を出力する指定手段と、前記指定手段から出力される非選択電圧について、その歪を検出する検出手段と、前記検出手段により検出される歪に基づき信号電圧を補正して補正信号を生成する補正信号生成手段とを有し、前記補正信号を前記信号電極駆動回路に供給することにより、前記歪に起因する表示むらを抑制することを特徴とする。
【０００９】
【発明の実施の形態】
［実施例１］本発明の駆動方法を実施例を用いてさらに詳しく説明する。ここで、まず液晶パネルの信号電極の配列方向に発生する表示むらを解消する場合について説明する。
【００１０】
図１は本実施例の構成を示す図である。図で、１０は液晶パネルで液晶層（図示せず。）を挟持する一対の基板１０１、１０２からなり一方の基板１０１には走査電極Ｙ１〜Ｙ６、他方の基板１０２には信号電極Ｘ１〜Ｘ６が形成されている。ここで、走査電極Ｙ１〜Ｙ６、信号電極Ｘ１〜Ｘ６はそれぞれ６本と少ないがこれは説明を簡単にするためで、通常これよりはるかに多い。
【００１１】
１１はＸドライバであり、１１１〜１１３はその内部構成要素でそれぞれ６ビットのシフト・レジスタ回路、６ビットのラッチ回路、６ビットの４回路１接点のアナログ・スイッチ回路である。なお、ビット数は液晶パネル１０の信号電極の数である。
【００１２】
１２はＹドライバであり、１２１、１２２はその内部構成要素でそれぞれ６ビットのシフト・レジスタ回路、６ビットの４回路１接点のアナログ・スイッチ回路である。なお、ビット数は液晶パネル１０の走査電極の数である。そして、データ信号、ＣＫ信号、ＬＰ信号、ＤＩ信号、ＦＲ信号が外部より取り込まれる。以上の構成は従来技術の構成と同じである。
【００１３】
１３は電源回路で、液晶パネルを駆動するのに必要な６レベルの電圧を、電圧Ｖ０−電圧Ｖ１＝電圧Ｖ１−電圧Ｖ２＝電圧Ｖ３−電圧Ｖ４＝電圧Ｖ４−電圧Ｖ５（＝Ｖとおく。）で、電圧Ｖ０−電圧Ｖ５＝ｎ・Ｖ（ｎは正数で、通常１０前後。）となる関係を持つ電圧Ｖ０〜Ｖ５を発生させる場合に、１３１は電圧分割回路で、５本の抵抗器Ｒ１、Ｒ２、Ｒ３、Ｒ４、Ｒ５からなり、抵抗器Ｒ１、Ｒ２、Ｒ４、Ｒ５はＲなる抵抗値を持ち、Ｒ３は（ｎ−４）Ｒなる抵抗値を持つ。この電圧分割回路１３１の両端に、即ち図で抵抗器Ｒ１の上と抵抗器Ｒ５の下にそれぞれ電圧Ｖ０、電圧Ｖ５を印加すると各抵抗器Ｒ１とＲ２、Ｒ２とＲ３、Ｒ３とＲ４、Ｒ４とＲ５間にそれぞれ電圧Ｖ１、Ｖ２、Ｖ３、Ｖ４が分割されて発生する。
【００１４】
ＯＰ１〜ＯＰ４は電圧分割回路１１が発生した電圧Ｖ１、Ｖ２、Ｖ３、Ｖ４をインピーダンスを下げて出力するボルテージ・ホロワ回路である。このボルテージ・ホロワ回路ＯＰ１〜ＯＰ４は、一般的には演算増幅回路によって構成されている。
【００１５】
１３２は基準電圧切り替えスイッチで、ＦＲ信号に応じて電圧Ｖ１と電圧Ｖ４のいずれかを切り替えて出力するスイッチである。
【００１６】
１３３は入力電圧切り替え制御回路で、Ｙドライバが走査電極Ｙ１からＹ３のいずれかに選択電圧を出力している間に”０”を、走査電極Ｙ４からＹ６のいずれかに選択電圧を出力している間に”１”となるスイッチ制御信号１３４を出力する回路である。この回路はＬＰ信号をクロック信号、ＤＩ信号をリセット信号とした計数回路とこの計数回路の結果の大小を比較する比較回路等で容易に形成することが出来るので、特に図示して説明することは省略する。
【００１７】
１３５は入力電圧切り替えスイッチで、スイッチ制御信号１３４が”１”の時にＹドライバ１２が走査電極Ｙ２に出力する電圧を、”０”の時にＹ５に出力する電圧波形を選択して出力する。
【００１８】
１３６は差動増幅回路で、基準電圧切り替えスイッチ２１と入力電圧切り替えスイッチから出力された電圧の差を出力する。
【００１９】
１３７〜１４０は電圧加算回路で、それぞれ外部から供給される電圧及びボルテージ・ホロワ回路ＯＰ２、ＯＰ３が出力する電圧Ｖ０、Ｖ２、Ｖ３、Ｖ５に差動増幅回路１３６が出力する電圧を加算した電圧をそれぞれ電圧Ｖ０’、Ｖ２’、Ｖ３’、Ｖ５’として出力する。ここで電圧加算回路１３７〜１４０の具体的な一構成例を図２に示す。図で端子Ｖｒｅｆは基準電圧を入力する端子で図１の電圧Ｖ０、Ｖ２、Ｖ３、Ｖ５のいずれかが入力する。図２で端子Ｖｉｎは差動増幅回路１３６の出力する電圧を入力する。２０１は抵抗器、２０２はコンデンサで微分回路を形成し、２０３は演算増幅回路によるボルテージ・ホロワ回路である。端子Ｖｏｕｔはボルテージ・ホロワ回路２０３の出力で図１の電圧Ｖ０’、Ｖ２’、Ｖ３’、Ｖ５’と対応する。ここで、図２で端子Ｖｉｎに入力する差動増幅回路１３６の出力する電圧はほぼ微分波形に近いのでこの電圧を抵抗２０１とコンデンサ２０２からなる微分回路の端子Ｖｉｎに接続することによって、近似的に端子Ｖｒｅｆの電圧に端子Ｖｉｎの電圧を加えた電圧をボルテージ・ホロワ回路２０３から出力することが出来る。
【００２０】
そして、図１で電圧Ｖ０、Ｖ１、Ｖ４、Ｖ５はＹドライバ１２に供給され、電圧Ｖ０’、Ｖ２’、Ｖ３’、Ｖ５’はＸドライバ１１に供給される。ここで、Ｙドライバ１２に供給する電圧Ｖ５、Ｖ１及びＸドライバ１１に供給する電圧Ｖ０’、Ｖ２’をそれぞれ第１の電圧群の選択電圧、非選択電圧、点灯電圧、非点灯電圧と呼び、電圧Ｖ０、Ｖ４、Ｖ５’、Ｖ３’をそれぞれ第２の電圧群の選択電圧、非選択電圧、点灯電圧、非点灯電圧と呼ぶ。
【００２１】
以上の構成となっている。なお、各回路間の接続については図により明確なので説明を省略する。そして図３に示すように、データ信号、ＣＫ信号、ＬＰ信号、ＤＩ信号が外部から供給される。
【００２２】
ここで、動作を説明する。
【００２３】
まず、Ｘドライバ１１は図３に示すＣＫ信号に同期して表示内容を決めるデータ信号をシフト・レジスタ回路１１１に順次取り込み、シフトする。そして、シフト・レジスタ回路１１１に液晶パネル１０の信号電極数と同じ数だけデータを取り込むと、図３に示すＬＰ信号に同期してシフト・レジスタ回路１１１の各ビットの内容がラッチ回路１１２の各ビットに取り込まれる。レベル・シフタ回路１１３はラッチ回路１１２に取り込んだ内容とＦＲ信号に応じた電圧を出力する。即ち、ラッチ回路１１２に取り込んだ各ビットの内容が点灯を示す（以後、”１”とする。）場合には点灯電圧を出力し、内容が非点灯を示す（以後、”０”とする。）場合には非点灯電圧を出力する。そして、ＦＲ信号が第１の電圧群を選択することを示す（以後、”０”とする。）場合については第１の電圧群を出力し、ＦＲ信号が第２の電圧群を選択することを示す（以後、”１”とする。）場合については第２の電圧群を出力する。
【００２４】
Ｙドライバ１２はＬＰ信号に同期して選択する走査電極を決める図３に示すＤＩ信号をシフト・レジスタ回路１２１に順次取り込み、シフトする。レベル・シフタ回路１２２はラッチ回路１２１に取り込んだ内容とＦＲ信号に応じた電圧を出力する。即ち、ラッチ回路１１２に取り込んだ各ビットの内容が選択を示す場合には選択電圧を出力し、内容が非選択を示す場合には非選択電圧を出力する。そして、ＦＲ信号が”０”の場合については第１の電圧群を出力し、ＦＲ信号が”１”の場合については第２の電圧群を出力する。
【００２５】
ここで、入力電圧切り替え制御回路１３３は入力電圧切り替えスイッチを、選択電圧が走査電極Ｙ１からＹ３に印加する期間では、Ｙドライバ１２が走査電極Ｙ５に出力する電圧を差動増幅回路１３６に出力し、選択電圧が走査電極Ｙ４からＹ６に印加する期間では、Ｙドライバ１２が走査電極Ｙ２に出力する電圧を差動増幅回路１３６に出力する。よって、常にＦＲ信号に応じて電圧Ｖ１とＶ４が切り替わる電圧波形に歪が重畳された電圧を１３６に出力する。
【００２６】
この時、１３２は基準電圧切り替えスイッチはＦＲ信号に応じて電圧Ｖ１とＶ４のいずれかを差動増幅回路１３６に出力する。
【００２７】
従って、差動増幅回路１３６はＹドライバ１２が走査電極Ｙ２もしくはＹ５に出力する電圧波形の歪分のみが出力される。
【００２８】
この歪分を電圧加算回路１３７〜１４０で、電圧Ｖ０、Ｖ２、Ｖ３、Ｖ４に加算して電圧Ｖ０’、Ｖ２’、Ｖ３’、Ｖ４’としてＸドライバ１１に出力する。
【００２９】
以上の動作を行う。
【００３０】
従って、非選択電圧（Ｖ１またはＶ４）の印加する走査電極上の電圧に歪（これをＶｅとする。）が発生すると、走査電極上の電圧はＶｃ＋Ｖｅとなる。この時、信号電極上の電圧は電圧Ｖ０、Ｖ１またはＶ３、Ｖ５にＶｅを加えた電圧Ｖ０’、Ｖ２’またはＶ３’、Ｖ５’になる。従って、走査電極と信号電極の電圧差は、
Ｖ０’−Ｖ１＝（Ｖ０＋Ｖｅ）−（Ｖ１＋Ｖｅ）＝Ｖ
Ｖ１−Ｖ２’＝（Ｖ１＋Ｖｅ）−（Ｖ２＋Ｖｅ）＝Ｖ
Ｖ３’−Ｖ４＝（Ｖ３＋Ｖｅ）−（Ｖ４＋Ｖｅ）＝Ｖ
Ｖ４−Ｖ５’＝（Ｖ４＋Ｖｅ）−（Ｖ５＋Ｖｅ）＝Ｖ
となって、歪の大きさ向きの如何にかかわらず常に差は一定となる。よって、液晶パネル１０の各ドットに印加する実効電圧に差異が無くなって表示むらが無くなる。これを図４に示す。図４は液晶パネル１０がある表示を行った時の電圧Ｖ０〜電圧Ｖ２及び電圧Ｖ０’〜Ｖ２’及び走査電極Ｙ２ないしＹ５に出力するＹドライバ１２の出力波形の一部分を示す図である。
【００３１】
図で破線の４０１〜４０２は電圧Ｖ０〜Ｖ２を示し、実線の４０４、４０６は電圧Ｖ０’、Ｖ２’を示し、実線の４０５は走査電極Ｙ２ないしＹ５に出力するＹドライバ１２の出力波形を示す。そして、４０７、４０８はそれぞれ電圧Ｖ０’、Ｖ２’とＹドライバ１２の出力波形４０５の電圧差を示す。なお、４０１〜４０３は見やすいように少しずらして表示してある。ここで、Ｙドライバ１２の出力波形４０５が歪んで、電圧変動が発生するとこれに追従して４０４と４０６即ち電圧Ｖ０’とＶ１’も電圧が変動する。これによって、電圧差４０７、４０８は歪によらずに常に一定となる。ここでは、第１の電圧群について説明したが、第２の電圧群についても同様となる。
【００３２】
Ｙドライバ１２の出力する電圧波形の歪分をＸドライバ１１に供給する電圧に単に付け加えたが、Ｙドライバ１２の出力する電圧波形の歪より液晶パネル１０の内部の方がより大きく歪むのでこの分を考慮してＸドライバ１１に供給する電圧に付け加える電圧を大きめにしても良い。これは差動増幅回路１３６の利得を適当な値に設定することによって容易に設定出来る。そして、この場合には検出した歪に対して必ずしも線形に大きくする必要はない。
【００３３】
なお参照する走査電極をここではＹ２とＹ５としたが、勿論これに限定するものはなく、いずれの場所の走査電極についてでも良い。また、複数の走査電極についての歪を平均化して用いても良い。
【００３４】
以上述べたように走査電極上の電圧変動を検出して信号電極上の電圧もこれに対応して変動させることによって、容易で簡素に表示むらを解消することが出来た。
【００３５】
［実施例２］実施例１では、信号電極の駆動電圧波形に補正電圧を付け加える方法を示したが、走査電極の駆動電圧波形に補正電圧を付け加えることも容易で同様の効果を得られる。この例を説明する。図５は本実施例の構成の一例を示す図である。
【００３６】
図で、５３が電源回路で、電源回路５３内の５３１〜５３３以外は図１と同じもので同じ動作をするので同番号を付して説明を省略する。
【００３７】
５３１は差動増幅回路で、基準電圧切り替えスイッチ２１と入力電圧切り替えスイッチから出力された電圧の差を極性を反転して出力する。
【００３８】
５３２と５３３は図１の電圧加算回路１３７〜１４０と同じ回路構成を持つ電圧加算回路で、ボルテージ・ホロワ回路ＯＰ１、ＯＰ４が出力する電圧Ｖ１、Ｖ４に差動増幅回路５３１が出力する電圧を加算した電圧をそれぞれ電圧Ｖ１’、Ｖ４’として出力する。
【００３９】
そして、図１で電圧Ｖ０、Ｖ１’、Ｖ４’、Ｖ５はＹドライバ１２に供給され、電圧Ｖ０、Ｖ２、Ｖ３、Ｖ５はＸドライバ１１に供給される。ここで、Ｙドライバ１２に供給する電圧Ｖ５、Ｖ１’及びＸドライバ１１に供給する電圧Ｖ０、Ｖ２がそれぞれ第１の電圧群の選択電圧、非選択電圧、点灯電圧、非点灯電圧となり、電圧Ｖ０、Ｖ４’、Ｖ５、Ｖ３がそれぞれ第２の電圧群の選択電圧、非選択電圧、点灯電圧、非点灯電圧となる。
【００４０】
以上の構成となっているので、非選択電圧（Ｖ１またはＶ４）の印加する走査電極上の電圧に歪（これをＶｅとする。）が発生しようとすると、即ち走査電極上の電圧がＶｃ＋Ｖｅとなろうとする時、電圧加算器５３２、５３３は−Ｖｅの電圧を電圧Ｖ１またはＶ４に加えるので発生しようとする歪がほぼ相殺される。従って、走査電極上の非選択電圧には歪が殆ど無くなって、表示むらが無くなる。
【００４１】
Ｙドライバ１２の出力する電圧波形の歪より液晶パネル１０の内部の方がより大きく歪むのでこの分を考慮してＹドライバ１２に供給する電圧に付け加える補正電圧を大きめにしても良い。これは差動増幅回路５３１の利得を適当な値に設定することによって容易に設定出来る。そして、この場合には検出した歪に対して必ずしも線形に大きくする必要はない。
【００４２】
以上述べたように走査電極上の電圧変動を検出して、走査電極上の電圧をこれに対応して変動させることでも、表示むらを解消することが出来た。
【００４３】
また、実施例１と実施例２を組み合わせて信号電極及び走査電極の駆動電圧波形の両方に補正電圧を加えても同様の効果がある。
【００４４】
［参考例１］他の参考例を示す。実施例１、２では特定の走査電極に出力するＹドライバの出力波形の歪でＸドライバあるいはＹドライバに供給する電圧を変化させることによって表示むらを解消した。ここで、筆者が出願した特開平２−８９号公報で詳しく説明してあるが、簡単に言えば各信号電極の走査電極に対する電圧の変化の総和で、Ｙドライバの出力波形ないし走査電極上の電圧波形の歪が規定されている。従って、液晶パネルの走査電極が形成されている基板上に電圧検出電極を形成し、この電圧検出電極を信号電極と液晶層によって容量結合させ、信号電極の電圧変化の総和を検出し、この結果より、走査電極上の歪を推定してＸドライバに供給する電圧を変化させてもよい。
【００４５】
これを、図６を用いてさらに詳しく説明する。図６はこの参考例の構成を示す。図で液晶パネル１０ａと電源回路６３以外は図１の構成と同じであり説明を省略する。
【００４６】
図６で液晶パネル１０ａは図１の液晶パネル１０の基板１０１上に新たに電圧検出電極ＹＤを付け加えたものである。電圧検出電極ＹＤは図に示すように信号電極Ｘ１〜Ｘ６の全てに対向するように設けてある。ここで、信号電極Ｘ１からＸ６上の電圧変化による走査電極上に発生させる影響が各信号電極毎に異なる場合には、電圧検出電極ＹＤの幅は一様でなくとも良く、例えば左から右になるに従って広くなるように形成しても良い。
【００４７】
図６で６３は電源回路で、６３１〜６３３以外の構成要素は図１の電源回路１３と同じなので説明を省略する。６３１は抵抗器で液晶パネル１０ａ上に設けた電圧検出電極ＹＤとこれに対向する信号電極Ｘ１〜Ｘ６からなるコンデンサとで微分回路を形成する。６３２はボルテージ・ホロワ回路で電圧検出電極ＹＤに発生する電圧をインピーダンスを下げて出力する。このボルテージ・ホロワ回路６３２は必ずしも１倍の増幅率で無く任意倍の非反転増幅器であっても良い。６３３はスイッチ回路で抵抗器６３１の一端に加える電圧（以後、基準電圧と言う）を電圧Ｖ１と電圧Ｖ４のいずれかに切り替えるスイッチである。即ち、Ｙドライバが非選択電圧として電圧Ｖ１を用いている時には電圧Ｖ１を、電圧Ｖ４を用いている時は電圧Ｖ４を抵抗器６３１の一端に加える。以上の構成となっているので、ボルテージ・ホロワ回路６３２は各信号電極Ｘ１〜６の電圧の変化の総和に応じた電圧変動を発生するから、この電圧変動を用いて電圧加算回路１３７〜１４０で電圧Ｖ０’、Ｖ２’、Ｖ３’、Ｖ５’を発生する。
【００４８】
以上の構成と動作をする。
【００４９】
従って、実施例１と同様の動作をするから同様の効果を得るとともに、駆動方法が電圧平均化法でない場合、例えば特開昭６０−２４７２２４号公報等で提示されている２値の電圧で異なった形状の電圧波形が走査電極に印加させて駆動する方法で液晶パネルを駆動した場合に、各走査電極の電圧波形が個々に異なった形状をしている為に、走査電極走査電極の歪を直接検出することが難しいので、電圧検出電極によって走査電極上の歪を推定するこの参考例の方法が有効である。
【００５０】
なお、スイッチ回路６３３は、Ｙドライバ１２が用いる非選択電圧が電圧Ｖ１とＶ４の２つの電圧を用いることによって必要となっている。即ち、Ｙドライバ１２の出力する非選択電圧に対する信号電極上の電圧変化の総和を検出する際にＹドライバ１２が出力する非選択電圧が電圧Ｖ１(４)からＶ４(１)に切り替わる時（ＦＲ信号が変化する時）に抵抗器６３１の一端に加える基準電圧も変更する必要があるからである。従って、Ｙドライバを非選択電圧を共通化し、非選択電圧を基準として、選択電圧を絶対値が同じ正負電圧の組（必ずしも１組である必要はない。）で動く構成として、Ｘドライバも同様に絶対値の同じ正負電圧（必ずしも１組である必要はない）で動く構成にすることによって、電圧Ｖ１とＶ４を切り替える比較的高耐圧のスイッチ回路６３３は不要となり、また抵抗器６３１の一端に加える基準電圧の値は任意の一定電圧で良くなる。例えば、基準電圧を電圧Ｖ０とＶ５の中点の電圧に設定しても良い。
【００５１】
さらに、図６のＹドライバ１２と同等のＦＲ信号が変化すると非選択電圧が電圧Ｖ１(４)からＶ４(１)に切り替わる構成のＹドライバであっても、ＦＲ信号が変化する時に補正電圧を強制的に発生させないような回路（例えば、抵抗器６３１を短絡する低耐圧のスイッチ）構成にすることによっても、スイッチ回路６３３は不要となり、また抵抗器６３１の一端に加える基準電圧の値は任意の一定電圧で良くなる。
【００５２】
また、本参考例では信号電極の駆動電圧波形に補正電圧を付け加えているが、ボルテージ・ホロワ回路６３２が出力する電圧の極性を反転させる反転増幅回路を設け、この出力電圧を補正電圧として、これを走査電極の駆動電圧波形に付け加えることによって、実施例２と同じ効果が得られる。
【００５３】
［参考例２］また、さらにＹドライバの出力波形ないし走査電極上の電圧波形の歪は、Ｙドライバ及び走査電極に電流が流れることによって発生する。そして、この電流はＹドライバを介して電源回路に流入する。従って、この電源回路に流れる電流を検出することによって、歪を推定出来る。これによって、Ｘドライバに供給する電圧を変化さてもよい。
【００５４】
これを、図７を用いてさらに詳しく説明する。図７はこの参考例の構成を示す。図で電源回路７３以外は図１の構成と同じであり説明を省略する。さらに図６の電源回路７３で、抵抗器７３１、７３２、差動増幅回路７３３、７３４以外の構成要素は図１の電源回路１３と同じなので説明を省略する。抵抗器７３１、７３２は電流検出抵抗で微小な抵抗値を持ち、この抵抗器に流れる電流に比例した電圧を抵抗器の両端に発生させる。差動増幅回路７３３、７３４はそれぞれ抵抗器７３１、７３２の両端に発生する電圧差を電圧加算回路に出力する。この電圧差に基づいて電圧加算回路１３７〜１４０で電圧Ｖ０’、Ｖ２’、Ｖ３’、Ｖ５’を発生する。以上の構成と動作をする。
【００５５】
従って、実施例１と同様の動作をするから同様の効果を得るとともに、実施例１で必要であった基準電圧切り替えスイッチ１３２、入力電圧切り替え制御回路１３３、入力電圧切り替えスイッチ１３５が不要となりより回路を簡素化できる。
【００５６】
また、差動増幅回路７３３、７３４の出力する電圧の極性を反転した電圧を補正電圧として、これを走査電極の駆動電圧波形に付け加えることによって実施例２と同じ効果が得られる。
【００５７】
なお、本参考例では非選択電圧の電流を検出する方法を示したが、各信号電極が走査電極上の駆動電圧波形（非選択電圧）に発生する歪は各信号電極に印加する電圧が点灯電圧から非点灯電圧、非点灯電圧から点灯電圧に切り替わるときの各信号電極に流れる電流の総和に他ならないから、例えば図７のＸドライバ１１に供給される点灯電圧、非点灯電圧の電流を微小な値の抵抗器等で各々検出しそれを足し合わせることによっても走査電極上の駆動電圧波形（非選択電圧）に発生する歪を推定することが出来、これによって補正電圧を作ることも容易に出来、同様の効果が得られる。
【００５８】
［参考例３］実施例１〜２、及び参考例１〜２では液晶パネルの信号電極の配列方向に発生する表示むらを解消した。ここで、次に液晶パネルの走査電極の配列方向に発生する表示むら（以後、この表示むらを横糸引きと言う。）を解消する参考例を示す。この横糸引きは、筆者が出願した特開平２−８９号公報で詳しく説明してあるが、簡単に言えば各走査電極上の表示ドットがより多く点灯することによってこの走査電極上の表示ドットが作るコンデンサの容量が大きくなって走査電極の駆動電圧波形が非選択電圧から選択電圧に切り替わる時により多くなまる為にその走査電極上の表示ドットに印加する実効電圧が小さくなって横糸引きが発生する。即ち、選択電圧に切り替わる時の波形のなまり量によって横糸引きが規定される。
【００５９】
従って、液晶パネルの信号電極が形成されている基板上に電圧検出電極を形成し、この電圧検出電極を信号電極と液晶層によって容量結合させ、走査電極の電圧変化の総和を検出し、この結果より、走査電極上のなまりを推定してＹドライバに供給する選択電圧を変化させることによって、この表示むらを解消出来る。
【００６０】
これを、図８を用いてさらに詳しく説明する。図８はこの参考例の構成を示す。図で液晶パネル１０ｂと電源回路８３以外は図１の構成と同じであり説明を省略する。
【００６１】
図８で液晶パネル１０ｂは図１の液晶パネル１０の基板１０２上に新たに電圧検出電極ＸＤを付け加えたものである。電圧検出電極ＸＤは図に示すように走査電極Ｙ１〜Ｙ６の全てに対向するように設けてある。
【００６２】
図８で８３は電源回路で、８３１〜８３３以外の構成要素は図１の電源回路１３と同じなので説明を省略する。８３１は反転増幅回路でボルテージ・ホロワ回路６３２が出力する電圧を反転する。８３２、８３３は加算器で図１の加算器１３７と同じ回路構成と機能をする。
【００６３】
以上の構成となっている。ここで、液晶パネル１０ｂが走査電極Ｙ３上の表示ドットが多く点灯し、他の走査電極上の表示ドットが少なく点灯しているような表示を行う場合のボルテージ・ホロワ回路６３２が出力する電圧と各走査電極上の電圧波形を模式的に図９に示す。図で９０１はボルテージ・ホロワ回路６３２が出力する電圧波形、９０２〜９０４は各々走査電極Ｙ２〜Ｙ４上の電圧波形を示す。なお、９０２〜９０４は仮りに走査電極の駆動波形に補正電圧を付け加えないとした場合の電圧波形である。ここで、電圧波形９０１は全ての走査電極Ｙ１〜６の電圧波形の変化の総和となり、図では走査電極Ｙ２〜４に順次選択電圧が切り替わって印加する部分を示している。
【００６４】
図９で示すように、走査電極Ｙ２からＹ３に選択電圧が印加する走査電極が切り替わる時は走査電極Ｙ３上の電圧波形９０３は大きくなまって選択電圧になるので、ボルテージ・ホロワ回路６３２が出力する電圧９０１もこれとほぼ同じ大きさの大きな微分波形を発生する。そして、走査電極Ｙ３からＹ４に選択電圧が印加する走査電極が切り替わる時は走査電極Ｙ４上の電圧波形９０４は殆どなまらずに選択電圧になるので、ボルテージ・ホロワ回路６３２が出力する電圧９０１も小さな微分波形を発生する。
【００６５】
ここで、ボルテージ・ホロワ回路６３２の出力は反転増幅回路８３１で極性反転されて、これを補正電圧として加算器８３２、８３３で選択電圧に付け加える。
【００６６】
従って、走査電極Ｙ３上の電圧波形９０３は大きくなまって選択電圧になろうとする時は、より大きな補正電圧が付け加えられた選択電圧が印加するので、実際にはより早く選択電圧に達するように矯正される。
【００６７】
よって、各走査電極上の表示ドットの点灯している数によらずにほぼ非選択電圧から選択電圧に切り替わる時のなまり方はほぼ同じになって、横糸引きを防止することが出来る。
【００６８】
［参考例４］さらに、Ｙドライバの出力波形ないし走査電極上の電圧波形の歪は、Ｙドライバ及び走査電極に電流が流れることによって発生するから、ある走査電極に選択電圧が印加する時にこの走査電極上の表示ドットが多く点灯している場合に多い場合に電圧波形は大きくなまるが、これはより多くの電流がこの走査電極に流れているのに他ならない。従って、この走査電極に流れる電流、言い替えれば電源回路の選択電圧を発生する部分に流れる電流を検出することによって、歪を推定出来る。これによって、Ｙドライバに供給する電圧を変化させてもよい。
【００６９】
これを、図１０を用いてさらに詳しく説明する。図１０はこの参考例の構成を示す。図で電源回路１０３以外は図７の構成と同じであり説明を省略する。さらに図１０の電源回路１０３で、抵抗器１０３１、１０３２、差動増幅回路１０３３、１０３４、加算器１０３５、１０３６以外の構成要素は図７の電源回路７３と同じなので説明を省略する。抵抗器１０３１、１０３２は電流検出抵抗で微小な抵抗値を持ち、この抵抗器に流れる電流に比例した電圧を抵抗器の両端に発生させる。差動増幅回路１０３３、１０３４はそれぞれ抵抗器１０３１、１０３２の両端に発生する電圧差を任意倍した電圧をそれぞれ電圧加算回路に出力する。これらの電圧差を電圧加算回路１０３５、１０３６は電圧Ｖ０、Ｖ５にそれぞれ加算して電圧Ｖ０’、Ｖ５’を発生する。以上の構成と動作をする。
【００７０】
従って、ある走査電極に選択電圧が印加する時にこの走査電極上の電圧波形が大きくなまろうとする時に、抵抗器１０３１、１０３２には大きな電流が流れるので、電圧Ｖ０’、Ｖ５’は非選択電圧に対して電圧Ｖ０、Ｖ５より大きな絶対値の電圧となる。従って、この走査電極上の電圧波形の大きななまりが解消される。これによって、参考例３と同様の効果が得られる。
【００７１】
［参考例５］参考例１では液晶パネルの走査電極が形成されている基板上に電圧検出電極を１本形成し、この電圧検出電極を信号電極と液晶層によって容量結合させ、信号電極の電圧変化の総和を検出し、この結果より、走査電極上の歪を推定してＸドライバに供給する電圧を変化させていた。しかし、走査電極数が多くなると、言い替えれば各信号電極の長さが長くなると、各信号電極のＸドライバに近い部分と遠い部分とで電圧変化の度合いが異なってしまい、正確に走査電極上の歪を推定するのが難しい場合がある。このような場合には電圧検出電極を複数本形成しこれらの電圧検出電極が検出する電圧を各々適宜重み付けして、言い替えればこれらの電圧を変数とするある適当な関数とした補正電圧を発生させてこれによって信号電圧の駆動波形にこの補正電圧を付け加えれば良い。
【００７２】
これを、図１１を用いてさらに詳しく説明する。図１１はこの参考例の構成を示す。図で液晶パネル１０ｃと電源回路１１３以外は図１の構成と同じであり説明を省略する。
【００７３】
図１１で液晶パネル１０ｃは図１の液晶パネル１０の基板１０１上に新たに電圧検出電極ＹＤ１、２をそれぞれ図に示すように信号電極Ｘ１〜Ｘ６の全てに対向するように上下の両辺部に設けてある。ここで、信号電極Ｘ１からＸ６上の電圧変化による走査電極上に発生させる影響が各信号電極毎に異なる場合には、電圧検出電極ＹＤの幅は一様でなくとも良く、例えば左から右になるに従って広くなるように形成しても良い。
【００７４】
図１１で１１３０は電源回路で、６３１１、６３１２、６３２１、６３２２と１１３１〜１１３４以外の構成要素は図１の電源回路１３と同じなので説明を省略する。６３１１と６３１２は抵抗器でそれぞれ電圧検出電極ＹＤ１、２がこれに対向する信号電極Ｘ１〜Ｘ６からなるコンデンサとで微分回路を形成する。６３２１、６３２２はボルテージ・ホロワ回路で電圧検出電極ＹＤ１、２に発生する電圧をそれぞれインピーダンスを下げて出力する。なお、この回路は必ずしも１倍の増幅率でなく任意の倍率の非反転増幅器であっても構わない。１１３１〜１１３４は加算器で電圧Ｖ０、Ｖ２、Ｖ３、Ｖ５に２つのボルテージ・ホロワ回路６３２１、２が出力する電圧を加算して、それぞれ電圧Ｖ０’、Ｖ２’、Ｖ３’、Ｖ５’を発生する。
【００７５】
以上の構成と動作をする。ここで、加算器１１３１〜１１３４の一構成例を図１２に示す。図で、１２０１は抵抗器、１２０２、１２０３はコンデンサで２入力の微分回路を形成し、１２０４は演算増幅回路によるボルテージ・ホロワ回路である。また端子Ｖｉｎ１、２はそれぞれ図１１のボルテージ・ホロワ回路６３２１、２の出力する電圧を入力し、端子Ｖｒｅｆは電圧Ｖ０、Ｖ２、Ｖ３、Ｖ５のいずれかの電圧を入力する。図１２の端子Ｖｏｕｔはボルテージ・ホロワ回路２０３の出力で図１１の電圧Ｖ０’、Ｖ２’、Ｖ３’、Ｖ５’と対応する。ここで、図１２で端子Ｖｉｎに入力するボルテージ・ホロワ回路６３２１、２の出力する電圧はほぼ微分波形に近いのでこれらの電圧を抵抗１２０１とコンデンサ１２０２、１２０３からなる微分回路の端子Ｖｉｎ１、２に接続することによって、近似的に端子Ｖｒｅｆの電圧に端子Ｖｉｎ１、２の電圧を加えた電圧をボルテージ・ホロワ回路１２０４から出力することが出来る。
【００７６】
ここで、コンデンサ１２０２、１２０３の静電容量を同じにすると結果的に端子Ｖｉｎ１、２の電圧を均等に重み付けされた補正電圧となり、言い替えれば平均化されたものとなる。またこの２つのコンデンサの静電容量を異なった値、例えばコンデンサ１２０２より１２０３の静電容量を大きくすることによって、電圧検出電極ＹＤ２の電圧変化の補正電圧に対する寄与を大きくすることが出来る。
【００７７】
これらのコンデンサ１２０２、１２０３の静電容量は実験等で容易に設定することが出来る。また、コンデンサ１２０２、１２０３の静電容量を同じに設定しておき図１１の電圧検出電極ＹＤ１よりＹＤ２を例えば幅広くすることによって、同じよう補正電圧に対する寄与を大きくすることが出来る。
【００７８】
従って、参考例１と同様の動作をし、さらに電圧検出電極を複数本化することによって、走査電極上の駆動波形に発生する歪をより正確に検出することができるので、より表示むらを解消することが出来た。
【００７９】
なお、参考例１に対する参考例３と同様に、複数の電圧検出基板を信号電極が形成されている基板上に走査電極Ｙ１〜Ｙ６の全てに対向するように左右の両辺部に設けて、電源部を同様の回路構成にすることによって、横糸引きについても本参考例と同様の効果が得られる。
【００８０】
［参考例６］参考例５では液晶パネルの走査電極が形成されている基板上に電圧検出電極を複数本形成し、これらの電圧検出電極に発生する電圧を複数の変数とした関数の電圧を１つの補正電圧として用いたが、例えば液晶パネルの左側の信号電極の駆動電圧波形の変化の総和と右側の信号電極の駆動電圧波形の変化の総和とが全く異なる場合にはこれらの信号電極に異なった補正電圧を加えた方がより表示むらを解消することが出来る。従って、複数の電圧検出電極から得られる電圧変化から複数の補正電圧を発生させて、これらの補正電圧について、ある補正電圧を発生させる電圧検出電極が交差する信号電極あるいは走査電極毎の駆動電圧波形にその補正電圧を個別に付け加えることによって、さらに表示むらを改善出来る。これを図１３を用いてさらに詳しく説明する。図１３に本参考例の一構成例を示す。
【００８１】
図でＹドライバ１２は図１のＹドライバと同じ構成と動作をするので説明を省略する。
【００８２】
図１３で１０ｄは液晶パネルで、図１の液晶パネル１０の基板１０１上に新たに電圧検出電極ＹＤ１、２が図に示すようにお互いに突き合わされて信号電極Ｘ１〜Ｘ６の一部に各々対向するように上辺部に設けてある。ここで、電圧検出電極ＹＤ１、２の突き合わせ部分は本参考例では楔状となってある信号電極（本参考例では信号電極Ｘ２〜Ｘ５）と共有して交差している。しかし、必ずしも突き合わせ部が同じ信号電極と共有して交差する必要は無い。さらに２つの電圧検出電極ＹＤ１、２は分離してなくとも良い。即ち、短絡させてあっても良い。
【００８３】
１１Ｌ、１１Ｍ、１１ＲはＸドライバで、図１のＸドライバ１１と内部の各回路の構成ビット数が異なっている以外は同じ構成と動作をする。そして、これらのＸドライバ１１Ｌ、１１Ｍ、１１Ｒにはそれぞれ異なった電圧構成の電圧が供給されて、この電圧によって各々駆動電圧波形を出力する。
【００８４】
１３３は電源回路で、１３３１〜１３３３以外の構成と動作は図１１の電源回路１１３０と同じなので説明を省略する。
【００８５】
１３３１、１３３３は加算器群で図２で示される加算器からなり電圧Ｖ０、Ｖ２、Ｖ３、Ｖ５に対応して設けられている。
【００８６】
１３３２は加算器群で、この加算器は図１２で示される加算器からなり電圧Ｖ０、Ｖ２、Ｖ３、Ｖ５に対応して設けられている。
【００８７】
加算器群１３３１、１３３２、１３３３の出力する電圧はそれぞれＸドライバ１１Ｌ、１１Ｍ、１１Ｒに供給される。
【００８８】
以上の構成となっているので、電圧検出電極ＹＤ１には信号電極Ｘ１〜５までの駆動電圧波形の電圧変化の総和が発生する。ここで、電圧検出電極ＹＤ１の先端部は楔状となっているので、信号電極Ｘ１からＸ５へ向かう程、駆動電圧波形の電圧変化の重み付けが小さくなっている。同様に電圧検出電極ＹＤ２にも信号電極Ｘ１〜５までの駆動電圧波形の電圧変化の総和が発生するが、信号電極Ｘ５からＸ１へ向かう程、駆動電圧波形の電圧変化の重み付けが小さくなっている。
【００８９】
従って、ボルテージ・ホロワ回路６３２１は主に液晶パネル１０ｄの左側の信号電極の駆動電圧波形の電圧変化の総和を出力し、ボルテージ・ホロワ回路６３２２は主に右側の信号電極の駆動電圧波形の電圧変化の総和を出力する。
【００９０】
ここで、ボルテージ・ホロワ回路６３２１の出力電圧は補正電圧として加算器群１３３１に供給され、加算器群１３３１の出力はＸドライバ１１Ｌに供給される。同様にボルテージ・ホロワ回路６３２２の出力電圧は補正電圧として加算器群１３３３に供給され、加算器群１３３３の出力はＸドライバ１１Ｒに供給される。そして、ボルテージ・ホロワ回路６３２１、６３２２の出力を２つの補正電圧として加算器群１３３２に供給し、加算器群１３３２はこの２つの補正電圧を平均化した補正電圧を付け加えた電圧をＸドライバ１１Ｍに出力する。
【００９１】
以上の動作をするので、液晶パネル１０ｄの左側の信号電極の駆動電圧波形にはこの左側の信号電極の駆動電圧波形の変化に多く重み付けされた駆動電圧波形の変化の総和による補正電圧が付け加わり、左側の信号電極の駆動電圧波形には右側の信号電極の駆動電圧波形の変化に多く重み付けされた補正電圧が加わり、中央部では左右の平均化した補正電圧が加わることになる。
【００９２】
従って、各信号電極の駆動電圧波形には略最適な補正電圧が個々に付け加わってより一層表示むらを解消することが出来た。
【００９３】
なお、本参考例では加算器群１３３１、１３３３を図２で示される加算器としたが、図１２で示される加算器とし、加算器群１３３２と同様にボルテージ・ホロワ回路６３２１、６３２２の２つの出力を入力して、この２つの入力電圧の寄与分を図１２のコンデンサ１２０２と１２０３の静電容量で適宜設定して、出力しても良い。
【００９４】
また、本参考例では異なった補正電圧の数を３としたがこれは液晶パネルの大きさ等で適宜増減しても構わない。
【００９５】
さらに、本参考例では電圧検出電極を用いた方法を示したが、例えば図１３のＸドライバ１１Ｌ、Ｍ、Ｒの各々について、これらのＸドライバに供給される点灯電圧、非点灯電圧の電流をそれぞれ微小な値の抵抗器等で各々検出しそれを足し合わせることによっても本参考例と同じような複数の補正電圧を得ることが出来、これを用いて同様の補正を行うことによって、本参考例と同様の効果が得られる。
【００９６】
以上、述べたように付け加える補正電圧を信号電極の液晶パネルの位置するところによって異なった補正電圧とすることで、より一層表示むらを解消することが出来た。
【００９７】
［参考例７］参考例６では液晶パネルの走査電極が形成されている基板上に電圧検出電極を複数本形成し、これらの電圧検出電極に発生する電圧を複数の変数とした関数の電圧を３つの補正電圧として用いたが、例えば電圧検出電極を１本形成し、この電圧検出電極に発生する電圧をから３つの補正電圧を発生させ、個別の信号電極の駆動電圧波形にある１つの補正電圧を付け加えても良い。例えば、筆者等の実験で液晶パネルの走査電極の駆動電圧波形を印加する端子が左側にある場合には、１本の電圧検出電極から得られた電圧を小さく増幅した補正電圧を液晶パネルの左側に位置する信号電極に、大きく増幅した補正電圧を液晶パネルの右側に位置する信号電極に、付け加えることによって表示むらがより解消することが実験的に解った。これを図１４に示す。図１４は本参考例の一構成例を示す。
【００９８】
図で１０ａは液晶パネル、１２はＹドライバで図６と同じ構成となっており、また１１Ｌ、Ｍ、ＲはＸドライバで図１３と同じ構成となっている。
【００９９】
さらに１４３は電源回路で１４３１〜１４３３以外は図６の電源回路６３と同じ構成となっている。そこで、これらの説明は省略する。
【０１００】
図１４で１４３１〜１４３３は加算器群でそれぞれ図２に示す加算器で構成されている。但し、図２のコンデンサ２０２の容量は加算器群１４３１では小さく、１４３３では大きく、１４３２ではその間の値をとるようになっている。
【０１０１】
即ち、端子Ｖｉｎに加わる電圧が同じでも、付け加えられる補正電圧が加算器群１４３１が一番小さく、次に１４３２、そして１４３３が最も大きくなるように設定されている。
【０１０２】
以上の構成となっているので、電圧検出電極から得られた電圧から複数の補正電圧を発生させることが出来、走査電極の駆動端子から遠い信号電極程大きな補正電圧が駆動電圧波形に付け加えることができるので、より一層表示むらを解消することが出来た。
【０１０３】
［参考例８］参考例１等では電圧検出電極の形状について、特に詳しく触れなかったが液晶パネルの形状によっては、電圧検出電極の形状を変えることによってより一層表示むらを解消することが出来る。これを図１５を用いて説明する。図１５は液晶パネルの構成を示す図である。本図は図１４の液晶パネル１０ａと各電極の形状が異なる以外は同じである。ここで、走査電極Ｙ１〜Ｙ６の形状は液晶パネル１０ａと同じ形状をしており、信号Ｘ１〜Ｘ６は上下交互に駆動電圧が供給される端子が形成されている。（図１５ではＸ１、３、５と奇数番号の信号電極が上にこの端子が形成されている。）ここで、電圧検出電極ＹＤは上辺部分に各信号電極と交差するように形成されている。そして、電圧検出電極ＹＤは奇数番号の信号電極と交差する部分では幅が狭く、偶数番号の信号電極と交差する部分では幅が広くなるように形成されている。
【０１０４】
以上のような形状に電圧検出電極ＹＤを形成してある。
【０１０５】
これによって、駆動電圧が印加する端子が近い信号電極と電圧検出電極ＹＤの容量結合は小さくなり、駆動電圧が印加する端子が遠い信号電極と電圧検出電極ＹＤの容量結合は大きくなる。よって、電圧検出電極ＹＤの位置で、減衰の少ない奇数番号の信号電極上の駆動電圧波形の変化によって小さな重み付けで電圧検出電極ＹＤに微分電圧を発生させ、減衰の大きな偶数番号の信号電極上の駆動電圧波形の変化は大きな重み付けで電圧検出電極ＹＤに微分電圧を発生させる。
【０１０６】
よって、電圧検出電極ＹＤに対して、駆動電圧波形を印加する端子が遠い信号電極と近い信号電極の電圧変化を均等に電圧検出電極ＹＤが取り込むことが出来る。これによって、より正確に走査電極上に発生する歪を推測出来、ひいてはより正確な補正電圧を発生することが出来るのでより一層表示むらを解消出来る。
【０１０７】
［参考例９］参考例１等では電圧検出電極が検出した電圧を一定の倍率で増幅した電圧を補正電圧としていた。ここで、電圧検出電極と対向する信号電極との電圧差は概ね０Ｖである。しかし、実際の走査電極と対向する信号電極との電圧差は実効電圧で数Ｖ程度である。液晶は一般に印加する実効電圧が大きくなるとその誘電率が大きくなる。このことは液晶パネルの表示ドットが多く点灯することによって、液晶パネルが作るコンデンサの静電容量が大きくなることを意味する。従って、信号電極の駆動波形の電圧変化の総和が同じでも、より多くの歪を各走査電極上の駆動電圧波形に発生させる。しかし、電圧検出電極と対向する信号電極との容量結合の度合いは表示の如何によらず一定なので、表示の点灯ドット数の多少によって、補正電圧が不足することになる。よって、表示の点灯ドット数の多少によって補正電圧の量を増減することにより、点灯ドット数の如何によらず表示むらのない表示が行える。これを、図１６で説明する。図１６は本参考例の一構成例を示す。図で電源回路１６３と点灯ドット数計数回路１６４以外の構成は図６の構成と同じであり説明を省略する。図１６の１６４は点灯ドット数計数回路で計数回路１６４１とラッチ回路１６４２からなる。計数回路１６４１はＣＫ信号に同期してデータ信号が"１"の時カウント・アップしＤＩ信号に同期して計数値をラッチ回路１６４２に取り込ませると同時に計数値を０にして再び計数を開始する。ラッチ回路１６４２の出力は電源回路１６３の可変増幅器１６３１に取り込まれる。
【０１０８】
１６３は電源回路で１６３１以外の構成は図６の構成と同じであり説明を省略する。１６３１は可変増幅器で点灯ドット数計数回路１６４の数値が大きくなると増幅率が大きくなる増幅回路である。この回路の一構成例を図１７に示す。
【０１０９】
図で１７１は演算増幅器、１７２〜１７５は抵抗器で１７３は１７４の半分の抵抗値、１７４は１７５の半分の抵抗値を持つ。１７６〜１７８はスイッチ回路で各々抵抗器１７２〜１７５に並列に接続されている。これらの抵抗とスイッチ回路は本参考例では３個となっているがこの数は適宜増減しても構わない。Ｖｒｅｆ、Ｖｉｎ端子にはそれぞれ図１６のスイッチ回路６０３の出力、ボルテージ・ホロワ回路６３２の出力が接続してある。従って、抵抗１７２の抵抗値と抵抗器１７３と１７５の間の抵抗値の比によった増幅率を持つ非反転増幅回路が形成されてＶｒｅｆ端子の電圧を基準にＶｉｎ端子に入力された電圧がこの増幅率で増幅されて出力される。ここで、スイッチ回路１７６〜１７８は点灯ドット数計数回路１６４が出力する複数ビットのバイナリの数値でオン／オフ制御される。即ち、バイナリ数値が"１"の場合にオフ、"０"の場合にオンになる。また、上位の数値がスイッチ回路１７８の制御を行い、下位の数値がスイッチ回路１７６の制御を行う。これにより、数値が大きくなると抵抗器１７３と１７５の間の抵抗はこれに比例して大きくなる。従って、点灯ドット数が多くなると増幅率が大きくなる。
【０１１０】
以上の構成となっているので、液晶パネル１０ａの表示ドットが多く点灯すると補正電圧も大きくなって、点灯ドット数の如何によらず表示むらのない表示が行える。
【０１１１】
［参考例１０］参考例２では電源回路７３中の非選択電圧（Ｖ１、Ｖ４）に流れる電流を検出することによって、Ｘドライバ１１に供給する電圧に補正電圧を付け加えたが、Ｙドライバ１２に供給する電圧に補正電圧を付け加えても良い。これを図１８を用いて説明する。図１８は本参考例の具体的な一構成例を示す。図で電源回路１８３以外は図１の構成と同じであり、説明を省略する。さらに電源回路１８３中の１４１、ＯＰ２、ＯＰ３はそれぞれ図１の同番号と同じものである。１８１０、１８４０は、それぞれ電圧Ｖ１、Ｖ４に補正電圧を付け加える電圧補正回路であり、電圧分割回路１３１とＹドライバ１２の間に設けられてある。電圧補正回路１８１０、１８４０は同じ回路構成となっており、図１９に電圧補正回路１８１０、１８４０の具体的な一構成例を示す。ここで、以下、参考例１０〜１４に於いて、ＦＲ信号に応じて非選択電圧が電圧Ｖ１が使用される期間について説明を行うが、電圧Ｖ４が使用される期間についても同様である。図１９で、Ｖｉｎ端子は電圧Ｖ１（あるいはＶ４）を入力する端子である。１９１１は電流検出用の抵抗器であり、非選択電圧が印加される走査電極に流れる電流の総和に比例した電圧がその両端に発生する。この電圧は演算増幅器１９１３、抵抗器１９１４、１９１５によって構成される反転増幅回路１９１２に印加する。反転増幅回路１９１２の増幅率を抵抗器１９１４、１９１５の抵抗値により適当な値に設定することによって、反転増幅器１９１２の出力する電圧（これをＶｄとする）を過渡電流の影響で歪んだ非選択電圧が印加された走査電極上の電圧とほぼ等しくすることが出来る。演算増幅器１９１６は演算増幅器１９１６の反転入力に印加された電圧Ｖ１’と非反転入力に印加されたＶｉｎ端子からの電圧を等電圧とする電圧（これをＶｃとする）をＹドライバ１２に出力する。
【０１１２】
以上の構成と動作をするので、過渡電流が流れる場合にも非選択電圧が印加した走査電極上の電圧と電圧Ｖ１（あるいは電圧Ｖ４）は常に同じ電圧に保たれる。
【０１１３】
以上、述べたように電源回路中の非選択電圧（電圧Ｖ１とＶ４）に流れる電流を検出し、Ｙドライバ１２に供給する非選択電圧に補正電圧を付け加えることによって、非選択電圧が印加した走査電極上の電圧の変動を抑えることが出来、実施例１と同様、容易で簡素に表示むらを解消することが出来た。
【０１１４】
［参考例１１］参考例１０の電圧補正回路１８１０、１８４０の回路構成は図１９で示した構成である必要は無く、他の回路構成でも構わない。ここで、図２０に電圧補正回路の他の回路構成の一例を示す。図２０の１９１１〜１９１６についてはそれぞれ図１９の同番号に対応している。２０１７はコンデンサで、抵抗器１９１４との組み合わせで反転増幅回路１９１２の時定数τ１を設定する。同様に、２０１８、２０１９はそれぞれ抵抗器、コンデンサで演算増幅回路１９１６の時定数τ２を設定する。
【０１１５】
以上の構成となっており、これら、時定数τ１、τ２と参考例１０で前述した増幅率の値を適当な値に設定することによって、電圧Ｖ１（あるいはＶ４）に過渡電流が流れた時にも、非選択電圧が印加した走査電極上の電圧の１ＬＰ信号周期当たりの実効電圧値を電圧Ｖ１と等しくすることが出来、参考例１０と同様の効果がある。さらに、増幅回路１９１３、１９１６の出力電圧の単位時間当たりの電圧変化量は小さくなるので、スルー・レートの低い安価な演算増幅器を用いることが出来、また回路の安定性も向上させることが出来た。なお、本参考例では電源回路内を流れる非選択電圧の電流を検出する場合について述べたが、選択電圧の電流を検出する場合、さらに電圧検出電極を用いて補正電圧を発生させる場合にも同様の回路構成をとることによって、同様の効果が得られる。
【０１１６】
［参考例１２］参考例１０、１１等では電源回路中に流れる電流を微小な抵抗を持つ抵抗器で検出したが、電流検出に必ずしも抵抗器を使用する必要は無く、他の素子を用いても良い。ここで、図１９の電圧補正回路１９１０、１９４０の電圧補正回路の代わりとして、図２１に他の素子としてトランスを用いた場合の電圧補正回路の具体的な一構成例を示す。図２１の演算増幅回路１９１６は図１９の同番号のものと同じである。２１２０はトランスで、１次巻線２１２１と２次巻線２１２２からなる。ここで、１次巻線２１２１と２次巻線２１２２の巻数の比を適当な値にすることによって、参考例１０と同様の効果が得られた。さらには構成要素数を少なく出来た。
【０１１７】
ここで、本参考例にさらに抵抗器とコンデンサを付け加えた他の電圧補正回路の構成例を図２２に示す。図２２で２２２３、２２２４の抵抗器、コンデンサが図２１の電圧補正回路に付け加わっている。この付け加わった抵抗器、コンデンサによって、演算増幅回路１９１６の時定数τ２が設定され、参考例１１と同じ効果が得られた。
【０１１８】
［参考例１３］参考例１０〜１２等ではいわばほぼリアル・タイムにＹドライバ１２に供給する非選択電圧を変化させたが、例えば前述の参考例１０に於いて、電圧補正回路１８１０、１８４０を図２３に示す電圧補正回路にすることによって、参考例１０と同じ効果が得られると共に電圧補正回路の動作を安定にすることが出来る。即ち、図２３に示すように反転増幅回路１９１２と演算増幅回路１９１６との間にスイッチト・キャパシタ回路やＣＣＤ等の遅延素子２３２５を挿入することによって、補正電圧を同ＬＰ信号周期内で一定時間遅らせて非選択電圧に付け加え、これをＹドライバ１２に供給しても参考例１０と同じ効果が得られるとともに、非リアル・タイムのフィード・バックがあるために、補正電圧回路が発振しずらくなって、安定した動作が得られる。この遅延素子を挿入することは例えば、参考例１１、１２でも適用することが出来、同様の効果が得られる。
【０１１９】
［参考例１４］１ＬＰ周期ごとに、ＬＰ１周期開始時、あるいは開始後所定の時間が経過した時に現れる電源回路中の非選択電圧に流れる瞬間電流値、あるいはピーク電流値を検出し、検出された電流値に応じた補正電圧を同ＬＰ周期の期間の一定な補正電圧として、非選択電圧（Ｖ１あるいはＶ４）に付け加えても良い。これを、図２４で説明する。図２４は図１８の電圧補正回路の構成を示す図である。１９１１〜１９１５は図１９の同番号と同じものである。図２４で、２４２６はサンプル＆ホールド回路で、ＬＰ信号あるいはＬＰ信号を所定の時間だけ遅らせた信号によって、過渡電流に対応して反転増幅回路１９１３より出力する電圧Ｖｄを演算増幅回路１９１６の出力電圧Ｖｃを基準として、サンプルし、ホールドする回路である。即ちｄＶ＝Ｖｄ−Ｖｃなる電圧をホールドする。
【０１２０】
従って、演算増幅回路１９１６の非反転入力にはＶｃ＋ｄＶが印加するので、Ｖ１（Ｖ４）−ｄＶなる一定の電圧が同ＬＰ期間出力される。
【０１２１】
以上の動作をし、ホールドされた電圧Ｖｄは、非選択電圧が印加した走査電極上の電圧の１ＬＰ周期当たりの実効電圧−Ｖ１（Ｖ４）に比例するから、反転増幅回路１９１２の増幅率を適当な値に設定することによって、過渡電流が発生する時にも、非選択電圧が印加した走査電極上の電圧の１ＬＰ周期当たりの実効電圧を電圧Ｖ１（Ｖ４）に等しくすることが可能になり、参考例１０と同様の効果が得られた。
【０１２２】
なお、本参考例では電源回路内を流れる非選択電圧の電流を検出する場合について述べたが、選択電圧の電流を検出する場合、さらに電圧検出電極を用いて補正電圧を発生させる場合にも同様の回路構成をとることによって、同様の効果が得られる。
【０１２３】
［参考例１５］前述の参考例１４ではＹドライバ１２に供給する非選択電圧に付け加える補正電圧を変化させることにより、非選択電圧が印加された走査電極上の電圧あるいは電圧実効値の補正を行ったが、詳細については述べないが、例えば、参考例１４と同様に電源回路の非選択電圧の電流を検出して、この検出した電流値に応じた時間だけ所定の補正電圧を付け加えることによっても参考例１４と同様の効果が得られる。また、これは参考例１４と同様に選択電圧の電流を検出する場合、さらに電圧検出電極を用いて補正電圧を発生させる場合にも同様の回路構成をとることによって、同様の効果が得られる。
【０１２４】
［変形例］いままで、走査電極、信号電極ともに一方の端から駆動電圧波形を印加する構造の液晶パネルについてのみ述べてきたが、走査電極、信号電極のいずれかあるいは両方について両方の端駆動電圧波形を印加する構造の液晶パネルについても上述の実施例を適応出来る。又、電圧検出電極を設けて補正電圧を発生する参考例においては、電圧検出電極の電圧を取り出す端子も一方の端だけではなく両端から検出するような回路構成、あるいは走査電極、信号電極の駆動電圧端子のある側と反対側に電圧検出電極の端子を形成しても良い。さらに電圧検出電極は上下左右どの辺の近くに形成しても良く、表示に差し支えなければ例えば中央部分に形成してもよい。
【０１２５】
さらに実施例、及び参考例の内の幾つかを複合して用いることも容易で、例えば参考例１と参考例３を複合することによって縦糸引きと横糸引きの両方の表示むらを解消することが出来る。
【０１２６】
さらにまた、上記実施例、及び参考例では１対の基板上に１組の複数の信号電極及び複数の走査電極がお互い交差して表示ドットを作る液晶パネルの場合について説明したが、１対の基板上に２組の複数の信号電極及び２組の複数の走査電極がお互い、各組毎に交差して表示ドットを作る液晶パネル、いわゆる２画面駆動の液晶パネルについても、それぞれの画面に応じた補正電圧をそれぞれの画面を駆動するＸないしＹドライバの電源電圧に付け加えることによって、同様の効果が得られる。そして、この時、一方の画面を駆動するＸないしＹドライバに供給するＦＲ信号を反転した信号を他方の画面を駆動するＸないしＹドライバに供給するＦＲ信号として、供給することによって回路構成を一部共有化出来、回路構成を簡素化出来る。即ち、一方の画面が選択、非選択、点灯、非点灯電圧としてＶ０(５)、Ｖ４(１)、Ｖ５(０)、Ｖ３(２)を用いる時に、他方の画面はＶ５(０)、Ｖ１(４)、Ｖ０(５)、Ｖ２(３)を用いるので、例えば、非選択電圧に補正電圧を付け加える方法の場合に、一方の画面がＶ１を用いる時に、Ｖ１に一方の画面の表示に応じた補正電圧を付け加え、この画面を駆動するＹドライバに供給すると同時に、Ｖ４に他方の画面の表示に応じた補正電圧を付け加え、この画面を駆動するＹドライバに供給することが出来る。従って、補正電圧回路を共有することが出来る。
【０１２７】
なお、本明細書では説明を簡単にする為に主に電圧平均化駆動方法を例に説明してきたが、走査電極に選択電圧が印加する期間中に信号電極に印加する電圧が変化する駆動方法（例えば、点灯電圧と非点灯電圧が印加する時間が増減する、いわゆるパルス幅変調による階調表示方法）、複数の走査電極に同時に選択電圧を印加する駆動方法、走査電極あるいは信号電極に多くの電圧レベルからなる駆動電圧波形を供給して駆動する方法等についても上述の実施例は表示むらを解消する効果がある。
【０１２８】
表示機能を必要とする電子機器例えばパーソナルコンピュータ，ワードプロセッサー，電子手帳等に実施例１または２のいずれか表示装置を用いることによって電子機器の表示品質を向上させることが出来る。
【０１２９】
【発明の効果】
以上述べたように、液晶表示装置系のある部分の電圧変化あるいは電流変化を検出することによって、液晶パネルの電極上に発生する歪を想定し、これによって補正電圧を発生させて、この補正電圧を駆動電圧波形に付け加えることによって容易に表示むらを改善出来た。即ち、表示データから歪量を計算する回路が不要となって、極めて簡素な回路構成で高品位の表示をする液晶表示装置を提供することが出来、さらにこの表示装置を用いた電子機器の表示部が高品位となり、また小型軽量化を図ることができた。そして、液晶表示装置系のある部分の電圧変化あるいは電流変化を検出することによって、液晶パネルの電極上に発生する歪を想定し、これによって補正電圧を発生させるので、液晶パネルを駆動する駆動方法を問わずに表示むらを改善することが出来るようになった。
【図面の簡単な説明】
【図１】  実施例１の液晶表示装置の構成を示す図。
【図２】  実施例１の電圧加算回路の具体的な一構成例を示す図。
【図３】  実施例１の液晶表示装置を駆動する信号の電圧波形を示す図。
【図４】  実施例１の動作を説明する電圧波形を示す図。
【図５】  実施例２の液晶表示装置の具体的な一構成例を示す図。
【図６】  参考例１の液晶表示装置の具体的な一構成例を示す図。
【図７】  参考例２の液晶表示装置の具体的な一構成例を示す図。
【図８】  参考例３の液晶表示装置の具体的な一構成例を示す図。
【図９】  参考例３の動作を説明する電圧波形を示す図。
【図１０】  参考例４の液晶表示装置の具体的な一構成例を示す図。
【図１１】  参考例５の液晶表示装置の具体的な一構成例を示す図。
【図１２】  参考例５の電圧加算回路の具体的な一構成例を示す図。
【図１３】  参考例６の液晶表示装置の具体的な一構成例を示す図。
【図１４】  参考例７の液晶表示装置の具体的な一構成例を示す図。
【図１５】  参考例８の液晶パネルの具体的な一構成例を示す図。
【図１６】  参考例９の液晶表示装置の具体的な一構成例を示す図。
【図１７】  参考例９の可変増幅器の具体的な一構成例を示す図。
【図１８】  参考例１０の液晶表示装置の具体的な一構成例を示す図。
【図１９】  参考例１０の電圧補正回路の具体的な一構成例を示す図。
【図２０】  参考例１１の電圧補正回路の具体的な一構成例を示す図。
【図２１】  参考例１２の電圧補正回路の具体的な一構成例を示す図。
【図２２】  参考例１２の他の電圧補正回路の具体的な一構成例を示す図。
【図２３】  参考例１３の電圧補正回路の具体的な一構成例を示す図。
【図２４】  参考例１４の電圧補正回路の具体的な一構成例を示す図。
【符号の説明】
１０は液晶パネル
１０１、１０２は一対の基板
Ｙ１〜Ｙ６は走査電極
Ｘ１〜Ｘ６は信号電極
１１は信号電極駆動回路（Ｘドライバ）
１１１はシフト・レジスタ回路
１１２はラッチ回路
１１３はアナログ・スイッチ回路
１２は走査電極駆動回路
１２１はシフト・レジスタ回路
１２２はアナログ・スイッチ回路
１３は電源回路
１３１は電圧分割回路
Ｒ１〜Ｒ５は抵抗器
ＯＰ１〜ＯＰ４はボルテージ・ホロワ回路
１３２は基準電圧切り替えスイッチ
１３３は入力電圧切り替え制御回路
１３４は入力電圧切り替え制御信号
１３５は入力電圧切り替えスイッチ
１３６は差動増幅回路
１３７〜１４０は電圧加算回路
電圧Ｖ０、Ｖ５は外部から供給される電圧
データ信号、ＣＫ信号、ＬＰ信号、ＤＩ信号、ＦＲ信号は液晶表示装置を駆動
する信号
【図１】
0004020979.tif 000002
【図２】
0004020979.tif 000003
【図３】
0004020979.tif 000004
【図４】
0004020979.tif 000005
【図５】
0004020979.tif 000006
【図６】
0004020979.tif 000007
【図７】
0004020979.tif 000008
【図８】
0004020979.tif 000009
【図９】
0004020979.tif 000010
【図１０】
0004020979.tif 000011
【図１１】
0004020979.tif 000012
【図１２】
0004020979.tif 000013
【図１３】
0004020979.tif 000014
【図１４】
0004020979.tif 000015
【図１５】
0004020979.tif 000016
【図１６】
0004020979.tif 000017
【図１７】
0004020979.tif 000018
【図１８】
0004020979.tif 000019
【図１９】
0004020979.tif 000020
【図２０】
0004020979.tif 000021
【図２１】
0004020979.tif 000022
【図２２】
0004020979.tif 000023
【図２３】
0004020979.tif 000024
【図２４】
0004020979.tif 000025